(57)【特許請求の範囲】
【請求項１】
熱源が発生する熱気を送風ファンによりスクリードプレートへ送風してスクリードプレートを加熱するスクリード加熱装置において、
スクリードプレートの温度を検出する温度センサと、ファンモータのバッテリー電源をオンオフするとともにコントローラの電源入力をバッテリーまたはオルタネータに択一的に切換える電源リレーと、温度センサの検出値と基準値とを比較してその比較結果に応じて電源リレーを制御するコントローラとを備え、
コントローラの制御により、温度センサの検出値が基準値未満の場合はファンモータのバッテリー電源がオフし、且つコントローラの電源入力がオルタネータに切換わり、温度センサの検出値が基準値以上の場合はファンモータのバッテリー電源がオンし、且つ、コントローラの電源入力がバッテリーに切換わるように構成したスクリード加熱装置。
【発明の詳細な説明】
【０００１】
【発明の属する技術分野】
この発明は、アスファルトフィニッシャに用いられるスクリード加熱装置に関するものであり、特に、送風ファンのオンオフ制御機能を設けたスクリード加熱装置に関するものである。
【０００２】
【発明が解決しようとする課題】
アスファルトフィニッシャのスクリード加熱装置は、送風ファンにより熱風を送ってスクリードプレートを加熱するように構成されているが、スクリードプレートを加熱中にエンジンキーをオフ位置へ回すと、電源回路がオフしてエンジンが停止するとともに送風ファンが停止し、スクリード装置の温度が急激に上昇してスクリード装置の各部やハーネスが損傷するおそれがある。
【０００３】
そこで、スクリードプレートを加熱中に誤ってエンジンを停止させたとしても、スクリード装置の温度の上昇を抑制して、スクリード装置やハーネスの損傷を防止するために解決すべき技術的課題が生じてくるのであり、本発明は上記課題を解決することを目的とする。
【０００４】
【課題を解決するための手段】
この発明は、上記目的を達成するために提案するものであり、熱源が発生する熱気を送風ファンによりスクリードプレートへ送風してスクリードプレートを加熱するスクリード加熱装置において、
スクリードプレートの温度を検出する温度センサと、ファンモータのバッテリー電源をオンオフするとともにコントローラの電源入力をバッテリーまたはオルタネータに択一的に切換える電源リレーと、温度センサの検出値と基準値とを比較してその比較結果に応じて電源リレーを制御するコントローラとを備え、
コントローラの制御により、温度センサの検出値が基準値未満の場合はファンモータのバッテリー電源がオフし、且つコントローラの電源入力がオルタネータに切換わり、温度センサの検出値が基準値以上の場合はファンモータのバッテリー電源がオンし、且つ、コントローラの電源入力がバッテリーに切換わるように構成したスクリード加熱装置を提供するものである。
【０００５】
【発明の実施の形態】
以下、この発明の実施の一形態を図に従って詳述する。図１はスクリード加熱装置の送風ファンの制御回路を示し、1は温度センサ、2はコントローラであり、温度センサ1の出力に応じてコントローラ2が電源リレー3を制御してファンモータ4をオンオフする。
【０００６】
温度センサ1は、アスファルトフィニッシャのスクリードプレートに取付けるか、或はスクリードプレートの近傍に配置し、スクリードプレートの温度に応じた電圧信号S1をコントローラ2へ出力する。
【０００７】
コントローラ2の電源入力端子は、電源リレー3のNO接点Ra1を介してバッテリー5へ接続するとともに、リレー3のNC接点Rbを介してオルタネータ6のDC出力回路へ接続している。ファンモータ4は、電源リレー3のNO接点Ra2を介してコントローラ2の電源出力端子へ接続している。
【０００８】
図示は省略するが、通常のエンジン駆動形車両と同様にバッテリー5の＋極はオルタネータ6のDC出力回路へ接続されていて、エンジン回転時にオルタネータ6は電気回路全体に給電するとともにバッテリー5へ充電電流を供給する。
【０００９】
図２はコントローラ2の送風ファン制御回路を示し、コンパレータ11は、温度センサ1の出力電圧S1と基準電圧Vrefとの比較結果に応じてトランジスタ12を制御して、リレー制御信号S2をオンオフする。基準電圧Vrefは、スクリードプレートの送風停止許容温度θ0（°C）における温度センサ1の出力電圧S1(θ0)と等しい値か、或は若干低い値に設定する(Vref≦S1(θ0)) 。
【００１０】
次に送風ファン制御回路の動作を説明する。エンジン始動時にはスクリードプレートの温度が低く、温度センサ1の出力電圧S1はS1＜Vrefであるので、コンパレータ11の出力はLoでトランジスタ12はオフしており、電源リレー3の電磁コイルは通電されず、図１に示すようにNO接点Ra1と NO接点Ra2は開き、NC接点Rbは閉じていて、オルタネータ6からコントローラ2へ電源が供給される。
【００１１】
スクリードプレートの温度がθ0（°C）以上に上昇すると、温度センサ1の出力電圧S1が基準電圧Vrefを超えてコンパレータ11の出力がHiに切換わり、トランジスタ12がオンして電源リレー3の電磁コイルが励磁される。これにより、NO接点Ra1と NO接点Ra2が閉じてNC接点Rbが開き、電源はオルタネータ6からバッテリー5に切換わり、バッテリー5からNO接点Ra1、コントローラ2及びNO接点Ra2を通じてファンモータ４へ通電され、送風ファンがスクリードプレートへ熱風を送る。このときバッテリー5はオルタネータ6により充電されているので、バッテリーがあがることはない。
【００１２】
送風ファンが回転中にエンジンキーをオフ位置へ回してエンジンを停止した場合も、バッテリー5からコントローラ2へ電源が供給されていて、温度センサ1の出力電圧S1＞Vrefによりコンパレータ11の出力(Hi)並びに電源リレー3の状態(on)は変化せず、ファンモータ4は回転を継続して、スクリードプレートの温度の上昇を抑制する。
【００１３】
スクリードプレートが送風ファンの風により冷却されて温度がθ0（°C）以下に低下し、温度センサ1の出力電圧S1が基準電圧Vref以下に低下すると、コンパレータ11の出力がLoに反転し、トランジスタ12がオフして電源リレー3への励磁電流が停止する。これにより、図１に示すようにNO接点Ra1と NO接点Ra2が開いてNC接点Rbが閉じ、バッテリー5とコントローラ2とが遮断されてファンモータ4は停止する。このように、スクリードプレートの温度がθ0（°C）以下になったときは、バッテリー5とコントローラ2とが切り離されるので、不必要にバッテリー5の電力を消費することがない。
【００１４】
尚、この発明は上記の実施形態に限定するものではなく、この発明の技術的範囲内において種々の改変が可能であり、この発明がそれらの改変されたものに及ぶことは当然である。
【００１５】
【発明の効果】
以上説明したように、本発明のスクリード加熱装置は、スクリードを加熱中にエンジンを停止したとしても、スクリードの温度が所定値に低下するまで送風ファンが回転してスクリードの過熱を抑制するので、過熱によるスクリード装置やハーネスの損傷を未然に防止できる。
【図面の簡単な説明】
【図１】本発明の実施の一形態を示し、スクリード加熱装置の送風ファン制御回路の回路図である。
【図２】送風ファン制御回路のコントローラの回路図である。
【符号の説明】
1      温度センサ
2      コントローラ
3      電源リレー
4      ファンモータ
5      バッテリー
6      オルタネータ
【図１】
0003737681.tif 000002
【図２】
0003737681.tif 000003